(57)【要約】    【課題】      休止中の無線ＬＡＮインタフェースが迷惑メール又は迷惑着信によって起動することを回避し、移動端末の消費電力を抑制する呼制御サーバ及び迷惑着信防止方法を提供する。    【解決手段】  データベース１０２には、移動端末情報と対応させ、着信が拒否された発信元の情報が保持され、ＤＢ検索部１０３が発信元情報を検索キーとして、データベース１０２に保持された発信元情報を検索する。着信拒否判定部１０４では、ＤＢ検索部１０３の検索結果に基づいて、着信を許可するか拒否するかが判定される。ＷＬＡＮ  Ｉ／Ｆ起動確認部１０５は、移動端末の無線ＬＡＮインタフェースが起動しているか否かをMobile IPエージェントに問い合わせ、無線ＬＡＮインタフェースが休止である場合、セルラページング指示部１０６がセルラ位置管理サーバにページングを指示する。呼制御部１０１は、着信が許可された移動端末の無線ＬＡＮインタフェースへの着信処理を行う。  【選択図】      図１
2006074603.tif 000002
【特許請求の範囲】
【請求項１】
第１無線ネットワークに接続する第１インタフェースと、第１無線ネットワークとは異なる第２無線ネットワークに接続する第２インタフェースとを有する移動端末への発呼に対して、前記移動端末の第１インタフェースが休止していれば、第２無線ネットワークを介して休止中の第１インタフェースを起動させ、呼制御を行う呼制御サーバであって、
前記移動端末への着信を許可又は拒否する発信元の情報を記憶する記憶手段と、
前記記憶手段に記憶された発信元情報に基づいて、着信を許可するか拒否するかを判定する着信判定手段と、
前記着信判定手段が着信を許可すると判定した場合、前記移動端末の第１インタフェースへの着信処理を行う呼制御手段と、
を具備することを特徴とする呼制御サーバ。
【請求項２】
前記着信判定手段が着信を許可すると判定し、かつ、前記移動端末の第１インタフェースが休止中である場合、第２無線ネットワークに対して前記移動端末へのページングを指示するページング指示手段を具備することを特徴とする請求項１に記載の呼制御サーバ。
【請求項３】
前記移動端末の第１インタフェースが起動していることを確認する起動確認手段を具備し、
前記着信判定手段は、前記起動確認手段によって前記移動端末の第１インタフェースが起動していることが確認されると、前記記憶手段に記憶された発信元情報を無視し、着信を許可することを特徴とする請求項１又は請求項２に記載の呼制御サーバ。
【請求項４】
移動端末の無線ＬＡＮインタフェースへの着信を許可又は拒否する発信元の情報に基づいて、着信を許可するか拒否するかを判定する着信判定工程と、
前記着信判定工程において着信を許可すると判定され、かつ、前記移動端末の無線ＬＡＮインタフェースが休止中である場合、セルラ無線ネットワークに対して前記移動端末へのページングを指示するページング指示工程と、
前記移動端末の起動している無線ＬＡＮインタフェースへの着信処理を行う呼制御工程と、
を具備することを特徴とする迷惑着信防止方法。
【発明の詳細な説明】
【技術分野】
【０００１】
本発明は、呼制御サーバ及び迷惑着信防止方法に関し、特に、セルラ無線インタフェースと無線ＬＡＮ（Local Area Network）インタフェースとを有する移動端末の呼制御を行う呼制御サーバ及び迷惑着信防止方法に関する。
【背景技術】
【０００２】
一般に、移動通信システムにおいては、音声や映像を含むデータ送信を行う前に、移動端末を呼び出すページングが行われる。ページングは、呼び出し対象とする移動端末が在圏すると思われる基地局の集合に上位装置から通信リクエストを送信し、通信リクエストを受信した基地局がページング要求信号を同報的に通知することにより行われる。
【０００３】
ところで、近年、セルラ無線インタフェースと無線ＬＡＮインタフェースとを併せ持つ移動通信端末が実用化を迎えている。このような移動端末においても、ページングを行う必要があるが、無線ＬＡＮを用いたページングを考えた場合、無線ＬＡＮインタフェースを待ち受け状態のように、長時間起動すると消費電力が大きくなってしまう。このため、無線ＬＡＮインタフェースへの通電を停止した休止状態とすることにより、消費電力を抑えつつ、セルラ無線インタフェースを介して無線ＬＡＮインタフェースを起動する方法が検討されている（例えば、特許文献１参照）。以下、この方法について図を用いて説明する。
【０００４】
まず、一般的なネットワーク構成を概念的に図１０に示す。この図において、セルラ無線ネットワーク、無線ＬＡＮネットワーク及びインターネットがそれぞれ接続されており、セルラ無線ネットワークには、基地局の通信エリアに在圏する移動端末の位置を管理すると共に、移動端末のセルラ無線インタフェースに対するページング機能を有するセルラ位置管理サーバが配置されている。また、無線ＬＡＮネットワークには、ホットスポットの通信エリアに在圏する移動端末のＩＰレイヤでのモビリティをサポートするMobile IPエージェント（位置管理サーバ）と、この移動端末の無線ＬＡＮインタフェースに対する着信及び発信を制御する呼制御サーバが配置されている。
【０００５】
次に、セルラ無線インタフェースを介して無線ＬＡＮインタフェースを起動する方法を図１１に示す。この図において、ステップ（以下、「ＳＴ」と省略する）１１では、移動端末が無線ＬＡＮインタフェースを起動し、ＳＴ１２では、起動した無線ＬＡＮインタフェースを介してMobile IPエージェントに位置情報を含むBinding Update（例えば、自端末のホームアドレスと現在の気付けアドレスとを対応付けた情報）を定期的に送信する。なお、Binding UpdateはＩＥＴＦのＲＦＣにおいて標準化されているMobile IP(IP Mobility Support)プロトコルに準ずるものである。
【０００６】
移動端末は、無線ＬＡＮインタフェースを介した通信を行わない場合、ＳＴ１３において、無線ＬＡＮインタフェースを休止させ、移動端末の消費電力を低減する。
【０００７】
ここで、ＳＴ１４において、移動端末に向けた発呼が発信元から呼制御サーバに生じたとすると、呼制御サーバはＳＴ１５でMobile IPエージェントに移動端末の無線ＬＡＮインタフェースの起動状況を確認する。この確認は、Mobile IPエージェントに移動端末のＩＰアドレスが登録されているか否かによって行われる。
【０００８】
ここでは、Mobile IPエージェントに移動端末のＩＰアドレスが登録されていないので、その旨（休止中）をMobile IPエージェントがＳＴ１６で呼制御サーバに応答する。Mobile IPエージェントからの応答を受けた呼制御サーバは、移動端末の無線ＬＡＮインタフェースが休止中であると判断し、ＳＴ１７において、移動端末へのページング指示をセルラ位置管理サーバに行う。
【０００９】
呼制御サーバから移動端末へのページング指示を受けたセルラ位置管理サーバは、ＳＴ１８において、移動端末のセルラ無線インタフェースに対してページングを行う。移動端末は、ページングを受信すると、ＳＴ１９において、無線ＬＡＮインタフェースを起動し、ＳＴ２０でMobile IPエージェントにBinding Updateを送信することにより、無線ＬＡＮインタフェースのＩＰアドレスを登録する。また、移動端末は、ＳＴ２１でセルラ位置管理サーバにページングに対する応答を送信し、セルラ位置管理サーバは、ＳＴ２２で呼制御サーバにページングが成功したことを通知する。
【００１０】
ページングが成功したことを通知された呼制御サーバは、ＳＴ２３において、Mobile IPエージェントに対して、再度、移動端末の無線ＬＡＮインタフェースの起動状況を問い合わせ、ＳＴ２４で移動端末のＩＰアドレスが登録されている応答を受け、移動端末の無線ＬＡＮインタフェースが起動していると判断する。なお、呼制御サーバはＳＴ２３の確認を行わなくてもよい。
【００１１】
呼制御サーバは、ＳＴ２５において、移動端末の無線ＬＡＮインタフェースへ発呼し、移動端末はＳＴ２６で発信元からの呼を着信する。
【００１２】
このような方法により、無線ＬＡＮインタフェースを休止中とすることにより消費電力を抑えつつ、セルラ無線インタフェースを介して休止中の無線ＬＡＮインタフェースを起動することができる。
【特許文献１】特開２００３−２２９８００号公報
【特許文献２】特開２００２−３６８８１９号公報
【特許文献３】特開２００３−１３４１６８号公報
【発明の開示】
【発明が解決しようとする課題】
【００１３】
しかしながら、上述した方法では、移動端末への迷惑メールや迷惑着信（迷惑電話及びＯｎｅ切りなど）を防止することまでは考慮されておらず、休止中の無線ＬＡＮインタフェースが迷惑メールや迷惑着信によって起動してしまい、無駄に電力を消費してしまうことがある。
【００１４】
本発明はかかる点に鑑みてなされたものであり、休止中の無線ＬＡＮインタフェースが迷惑メール又は迷惑着信によって起動することを回避し、移動端末の消費電力を抑制する呼制御サーバ及び迷惑着信防止方法を提供することを目的とする。
【課題を解決するための手段】
【００１５】
本発明の呼制御サーバは、第１無線ネットワークに接続する第１インタフェースと、第１無線ネットワークとは異なる第２無線ネットワークに接続する第２インタフェースとを有する移動端末への発呼に対して、前記移動端末の第１インタフェースが休止していれば、第２無線ネットワークを介して休止中の第１インタフェースを起動させ、呼制御を行う呼制御サーバであって、前記移動端末への着信を許可又は拒否する発信元の情報を記憶する記憶手段と、前記記憶手段に記憶された発信元情報に基づいて、着信を許可するか拒否するかを判定する着信判定手段と、前記着信判定手段が着信を許可すると判定した場合、前記移動端末の第１インタフェースへの着信処理を行う呼制御手段と、を具備する構成を採る。
【００１６】
この構成によれば、着信を許可された場合に、移動端末の第１インタフェースへの着信処理を行うため、第１インタフェースが休止していれば、休止中の第１インタフェースを起動させずに済むので、移動端末の消費電力を抑制することができる。
【００１７】
本発明の呼制御サーバは、上記構成において、前記着信判定手段が着信を許可すると判定し、かつ、前記移動端末の第１インタフェースが休止中である場合、第２無線ネットワークに対して前記移動端末へのページングを指示するページング指示手段を具備する構成を採る。
【００１８】
この構成によれば、着信が許可された移動端末の第１インタフェースが休止中であっても、第２無線ネットワークを介して移動端末へのページングを指示することにより、移動端末の第１インタフェースを起動することができ、起動した第１インタフェースを用いて着信することができる。
【００１９】
本発明の呼制御サーバは、上記構成において、前記移動端末の第１インタフェースが起動していることを確認する起動確認手段を具備し、前記着信判定手段は、前記起動確認手段によって前記移動端末の第１インタフェースが起動していることが確認されると、前記記憶手段に記憶された発信元情報を無視し、着信を許可する構成を採る。
【００２０】
この構成によれば、第１インタフェースが起動していれば、記憶手段に記憶された発信元からの着信を許可しても移動端末の消費電力を増大させることにはならない上、ユーザが有益な情報を取得する可能性を向上させることができる。
【００２１】
本発明の迷惑着信防止方法は、移動端末の無線ＬＡＮインタフェースへの着信を許可又は拒否する発信元の情報に基づいて、着信を許可するか拒否するかを判定する着信判定工程と、前記着信判定工程において着信を許可すると判定され、かつ、前記移動端末の無線ＬＡＮインタフェースが休止中である場合、セルラ無線ネットワークに対して前記移動端末へのページングを指示するページング指示工程と、前記移動端末の起動している無線ＬＡＮインタフェースへの着信処理を行う呼制御工程と、を具備するようにした。
【００２２】
この方法によれば、着信を許可された場合に、移動端末の第１インタフェースへの着信処理を行うため、第１インタフェースが休止していれば、休止中の第１インタフェースを起動させずに済むので、移動端末の消費電力を抑制することができる。
【発明の効果】
【００２３】
本発明によれば、休止中の無線ＬＡＮインタフェースが迷惑メール又は迷惑着信によって起動することを回避し、移動端末の消費電力を抑制する呼制御サーバ及び迷惑着信防止方法を提供することができる。
【発明を実施するための最良の形態】
【００２４】
以下、本発明の実施の形態について、図面を参照して詳細に説明する。
【００２５】
（実施の形態１）
本発明の実施の形態１に係る呼制御サーバ１００は、図１に示すように、呼制御部１０１が、発信元から移動端末への着信要求（発呼）を受けると、ＤＢ検索部１０３に検索を要求し、着信拒否判定部１０４の判定結果を得る。着信拒否判定結果が着信拒否をしない、すなわち、着信を許可する場合には、ＷＬＡＮ  Ｉ／Ｆ起動確認部１０５に着信要求の対象となる移動端末の無線ＬＡＮインタフェースが起動しているか確認要求を行い、この確認結果に基づいてセルラページング指示部１０６を制御して、移動端末に発呼を行う。
【００２６】
一方、呼制御部１０１は、着信拒否判定結果が着信拒否をする場合、着信拒絶通知を発信元に通知する。
【００２７】
記憶手段としてのデータベース１０２には、図２に示すように、移動端末の電話番号、ＳＩＰ−ＵＲＩ、ＩＰ電話番号、E-mailアドレス等の移動端末情報と対応させて、移動端末が着信を拒否した発信元の電話番号、ＳＩＰ−ＵＲＩ、ＩＰ電話番号、E-mailアドレス等の発信元情報とが保持される。
【００２８】
ＤＢ（データベース）検索部１０３は、呼制御部１０１からデータベース検索要求を受けると、発信元情報を検索キーとして、検索キーと一致する発信元情報と、この発信元情報に対応する移動端末情報とを着信拒否判定部１０４に出力する。
【００２９】
着信拒否判定部１０４は、着信要求の対象となる移動端末情報を呼制御部１０１から取得し、取得した移動端末情報がＤＢ検索部１０３から出力された移動端末情報と一致するか否かが判定される。一致する場合には、着信を拒否する旨を呼制御部１０１に通知し、一致しない場合には、着信を許可する旨を呼制御部１０１に通知する。
【００３０】
ＷＬＡＮ  Ｉ／Ｆ起動確認部１０５は、呼制御部１０１から無線ＬＡＮインタフェースの起動確認要求を受けて、移動端末の無線ＬＡＮインタフェースが起動しているか否かをMobile IPエージェントに問い合わせる。具体的には、Mobile IPエージェントに移動端末のＩＰアドレスが登録されているか否かを確認し、登録されていれば無線ＬＡＮインタフェースが起動しているとし、登録されていなければ無線ＬＡＮインタフェースが休止しているとする。確認結果は呼制御部１０１に通知される。
【００３１】
セルラページング指示部１０６は、ＷＬＡＮ  Ｉ／Ｆ起動確認部１０５での確認結果が休止である場合、セルラ位置管理サーバにページングを指示し、ページングが成功した場合には、セルラ位置管理サーバからその旨の応答を受ける。この応答は呼制御部１０１に通知される。
【００３２】
次に、上述した構成を有する呼制御サーバ１００の動作について図３を用いて説明する。図３は、図１に示す呼制御サーバ１００の動作手順を示すフロー図である。この図において、ＳＴ１１１では、呼制御部１０１が発信元から着信要求（発呼）を受信し、ＳＴ１１２では、着信拒否判定部１０４がデータベース検索結果に基づいて着信を拒否するか否か（許可する）かを判定する。着信を拒否する（ＹＥＳ）と判定されるとＳＴ１１３に移行し、着信を拒否しない（ＮＯ）と判定されるとＳＴ１１４に移行する。
【００３３】
ＳＴ１１３では、ＳＴ１１２において着信を拒否すると判定されたので、呼制御部１０１は発信元に着信が拒否されたことを通知する。
【００３４】
ＳＴ１１４では、ＳＴ１１２において着信を拒否しないと判定されたので、ＷＬＡＮ  Ｉ／Ｆ起動確認部１０５がMobile IPエージェントに無線ＬＡＮインタフェースが起動しているか否かを確認し、起動している（ＹＥＳ）と判定されるとＳＴ１１６に移行し、起動していない（ＮＯ）と判定されるとＳＴ１１５に移行する。
【００３５】
ＳＴ１１５では、セルラページング指示部１０６がセルラ位置管理サーバにページングを指示することにより、セルラ無線ネットワークを介して、休止中の無線ＬＡＮインタフェースが起動される。
【００３６】
ＳＴ１１６では、無線ＬＡＮインタフェースが起動しているので、移動端末の起動した無線ＬＡＮインタフェースに対して発呼を行う。
【００３７】
これにより、迷惑メール又は迷惑着信の発信元情報を呼制御サーバ１００のデータベース１０２に保持しておけば、呼制御サーバ１００は発信元からの着信要求を拒否するため、休止中の無線ＬＡＮインタフェースが迷惑メール又は迷惑着信によって起動することを回避し、移動端末の消費電力を抑制することができる。
【００３８】
ここで、ネットワーク上の各装置（セルラ位置管理サーバ、移動端末、Mobile IPエージェント、呼制御サーバ１００、発信元）間の処理手順について図を用いて説明する。以下、無線ＬＡＮインタフェースが休止中に着信拒否を行わない場合と行う場合、また、無線ＬＡＮインタフェースが起動中に着信拒否を行わない場合と行う場合の４つの場合に分けて説明する。
【００３９】
まず、無線ＬＡＮインタフェースが休止中に着信拒否を行わない場合について図４を用いて説明する。ＳＴ１２１では、移動端末の無線ＬＡＮインタフェースが休止となり、ＳＴ１２２では、発信元から呼制御サーバ１００に移動端末への発呼が行われる。
【００４０】
ＳＴ１２３では、呼制御サーバ１００のＤＢ検索部１０３がデータベース１０２を検索し、ＳＴ１２４で着信拒否判定部１０４がデータベース検索結果に基づいて着信拒否を行うか否かを判定する。ここでは、データベース１０２に発信元情報が保持されていないものとし、着信拒否を行わないものとしているので、ＳＴ１２５で呼制御サーバ１００のＷＬＡＮ  Ｉ／Ｆ起動確認部１０５がMobile IPエージェントに対して着信要求の対象となる移動端末の無線ＬＡＮインタフェースを起動しているか否かを確認する。また、ここでは、無線ＬＡＮインタフェースが休止しているものとしているので、ＳＴ１２６において、Mobile IPエージェントは休止を示す応答を呼制御サーバ１００に行う。
【００４１】
ＳＴ１２７では、呼制御サーバ１００のセルラページング指示部１０６がセルラ位置管理サーバに対して、移動端末へのページング指示を行い、ページング指示を受けたセルラ位置管理サーバがＳＴ１２８でセルラ無線ネットワークを介して移動端末に対してページングを行う。
【００４２】
ＳＴ１２９では、ページングを受けた移動端末が無線ＬＡＮインタフェースを起動し、ＳＴ１３０でBinding UpdateをMobile IPエージェントに送信する一方、ＳＴ１３１でセルラ位置管理サーバへページングに対する応答を行う。
【００４３】
ＳＴ１３２では、ページングが成功したことをセルラ位置管理サーバから呼制御サーバ１００に通知し、ＳＴ１３３では、呼制御サーバ１００のＷＬＡＮ  Ｉ／Ｆ起動確認部１０５が再度、Mobile IPエージェントに移動端末の無線ＬＡＮインタフェースが起動しているか否かを確認する。
【００４４】
無線ＬＡＮインタフェースはＳＴ１２９において起動しており、ＳＴ１３０でBinding UpdateをMobile IPエージェントに送信しているので、ＳＴ１３４では、Mobile IPエージェントから起動している旨を示す応答が行われる。
【００４５】
ＳＴ１３５では、呼制御サーバ１００の呼制御部１０１が移動端末へ発呼を行い、ＳＴ１３６で移動端末に着信する。
【００４６】
次に、無線ＬＡＮインタフェースが休止中に着信拒否を行う場合について図５を用いて説明する。ＳＴ１４１では、移動端末の無線ＬＡＮインタフェースが休止となり、ＳＴ１４２では、発信元から呼制御サーバ１００に移動端末への発呼が行われる。
【００４７】
ＳＴ１４３では、呼制御サーバ１００がデータベースを検索し、ＳＴ１４４で着信拒否判定部１０４がデータベース検索結果に基づいて着信拒否を行うか否かを判定する。ここでは、データベース１０２に発信元情報が保持されているものとし、着信拒否を行うものとしているので、ＳＴ１４５において呼制御サーバ１００の呼制御部１０１は発信元に対して着信を拒否したことを通知する。
【００４８】
次に、無線ＬＡＮインタフェースが起動中に着信拒否を行わない場合について図６を用いて説明する。ＳＴ１５１では、移動端末が無線ＬＡＮインタフェースを起動し、ＳＴ１５２では、起動した無線ＬＡＮインタフェースを介してMobile IPエージェントにBinding Updateを定期的に送信する。
【００４９】
ＳＴ１５３では、発信元から呼制御サーバ１００に移動端末への発呼が行われ、ＳＴ１５４では、呼制御サーバ１００がデータベースを検索し、ＳＴ１５５で着信拒否判定部１０４がデータベース検索結果に基づいて着信拒否を行うか否かを判定する。ここでは、データベース１０２に発信元情報が保持されていないものとし、着信拒否を行わないものとしているので、ＳＴ１５６で呼制御サーバ１００のＷＬＡＮ  Ｉ／Ｆ起動確認部１０５がMobile IPエージェントに対して着信要求の対象となる移動端末の無線ＬＡＮインタフェースを起動しているか否かを確認する。また、ここでは、無線ＬＡＮインタフェースが起動しているものとしているので、ＳＴ１５７において、Mobile IPエージェントは起動を示す応答を呼制御サーバ１００に行う。
【００５０】
ＳＴ１５８では、呼制御サーバ１００の呼制御部１０１が移動端末へ発呼を行い、ＳＴ１５９で移動端末に着信する。
【００５１】
次に、無線ＬＡＮインタフェースが起動中に着信拒否を行う場合について図７を用いて説明する。ＳＴ１６１では、移動端末が無線ＬＡＮインタフェースを起動し、ＳＴ１６２では、起動した無線ＬＡＮインタフェースを介してMobile IPエージェントにBinding Updateを定期的に送信する。
【００５２】
ＳＴ１６３では、発信元から呼制御サーバ１００に移動端末への発呼が行われ、ＳＴ１６４では、呼制御サーバ１００がデータベースを検索し、ＳＴ１６５で着信拒否判定部１０４がデータベース検索結果に基づいて着信拒否を行うか否かを判定する。ここでは、データベース１０２に発信元情報が保持されているものとし、着信拒否を行うものとしているので、ＳＴ１６６において呼制御サーバ１００の呼制御部１０１は発信元に対して着信を拒否したことを通知する。
【００５３】
このように実施の形態１によれば、迷惑メール又は迷惑着信の発信元情報を呼制御サーバのデータベースに保持しておけば、呼制御サーバは発信元からの着信要求を拒否し、セルラ無線ネットワークを介した移動端末へのページングを行わないため、休止中の無線ＬＡＮインタフェースが迷惑メール又は迷惑着信によって起動することを回避し、移動端末の消費電力を抑制することができる。
【００５４】
（実施の形態２）
実施の形態１では、移動端末の無線ＬＡＮインタフェースが起動中であるか休止中であるかにかかわらず、着信拒否判定を行う場合について説明したが、本発明の実施の形態２では、呼制御サーバが移動端末の無線ＬＡＮインタフェースが休止中であるときに、着信拒否を行うか否かを判定する場合について説明する。なお、本発明の実施の形態２に係る呼制御サーバの構成は図１と共通するので、図１を援用して説明する。
【００５５】
本発明の実施の形態２に係る呼制御サーバ１００においては、データベース１０２に着信拒否を示す発信元情報が登録されていても、無線ＬＡＮインタフェースが起動していれば、移動端末への着信を許可するユーザ設定情報（無線ＬＡＮインタフェース起動時の着信ＯＫ）が図８に示すようにデータベース１０２に保持されている。
【００５６】
図９は、図１に示す呼制御サーバ１００の動作手順を示すフロー図である。この図において、ＳＴ１７１では、呼制御部１０１が発信元から着信要求（発呼）を受信し、ＳＴ１７２では、ＷＬＡＮ  Ｉ／Ｆ起動確認部１０５がMobile IPエージェントに無線ＬＡＮインタフェースが起動しているか否かを確認し、起動している（ＹＥＳ）と判定されるとＳＴ１７４に移行し、起動していない（ＮＯ）と判定されるとＳＴ１７３に移行する。
【００５７】
ＳＴ１７３では、着信拒否判定部１０４がデータベース検索結果に基づいて着信を拒否するか否か（許可する）かを判定する。着信を拒否する（ＹＥＳ）と判定されるとＳＴ１７５に移行し、着信を拒否しない（ＮＯ）と判定されるとＳＴ１７４に移行する。
【００５８】
ＳＴ１７４では、ＳＴ１７３において着信を拒否しないと判定された場合は、セルラページング指示部１０６がセルラ位置管理サーバにページングを指示することにより、セルラ無線ネットワークを介して、休止中の無線ＬＡＮインタフェースが起動し、移動端末の起動した無線ＬＡＮインタフェースに対して呼制御部１０１が発呼を行う。また、ＳＴ１７２において無線ＬＡＮインタフェースが起動していると判定された場合は、データベースに着信拒否を示す発信元情報が登録されていても、無線ＬＡＮインタフェースが起動していれば、移動端末への着信を許可するユーザ設定になっているので、着信を拒否するか否かを判定することなく、移動端末の起動した無線ＬＡＮインタフェースに対して呼制御部１０１が発呼を行う。
【００５９】
ＳＴ１７５では、ＳＴ１７３において着信を拒否すると判定されたので、呼制御部１０１が発信元に着信が拒否されたことを通知する。
【００６０】
このように本実施の形態２によれば、無線ＬＡＮインタフェースが起動中であれば、着信拒否に登録した発信元からの発呼を受け付けても移動端末の消費電力を増大させることにはならない上、ユーザが有益な情報を取得する可能性を向上させることができる。
【００６１】
（他の実施の形態）
実施の形態２では、無線ＬＡＮインタフェースが起動中であれば、着信拒否に登録した発信元からの発呼を受け付ける場合について説明したが、無線ＬＡＮインタフェースが休止中に充電していれば、着信拒否に登録した発信元からの発呼を受け付ける場合について説明する。
【００６２】
移動端末は、セルラ無線インタフェースを用いてセルラ位置管理サーバに無線ＬＡＮインタフェースが休止しており、かつ、移動端末が充電中であることを通知する。セルラ位置管理サーバは移動端末から通知された内容を呼制御サーバに通知し、呼制御サーバはMobile IPエージェントに通知する。
【００６３】
呼制御サーバが着信拒否に登録された発信元からの発呼を受け、Mobile IPエージェントに問い合わせを行い、移動端末の無線ＬＡＮインタフェースが休止中であり、かつ、移動端末が充電中であるとの応答を受けると、セルラ位置管理サーバに移動端末へのページング指示を行う。これにより、移動端末は無線ＬＡＮインタフェースを起動し、着信する。移動端末が充電中であれば、消費電力を抑制する必要性がほとんどないからである。
【００６４】
なお、上述した各実施の形態において、移動端末が呼制御サーバに着信拒否を行う発信元情報を登録しておく必要があることは言うまでもなく、移動端末は、無線ＬＡＮインタフェースが起動しているとき、呼制御サーバに対して着信を拒否する発信元情報を登録するものである。
【００６５】
また、呼制御サーバに着信拒否を示す発信元情報が登録されていても、無線ＬＡＮインタフェースが起動していれば、移動端末への着信を許可するユーザ設定情報も同様に登録するものである。これらの登録を行うとき、移動端末は無線ＬＡＮインタフェースを用いて無線ＬＡＮネットワークを介して行ってもよいし、セルラ無線インタフェースを用いてセルラネットワークを介して行ってもよい。
【００６６】
上述した各実施の形態では、基本的に、呼制御サーバに登録された発信元情報に基づいて、着信の可否を決定しているが、本発明はこれに限らず、アプリケーションに基づいて着信の可否を決定してもよい。例えば、電話（VoIP: Voice over IP）アプリケーションによる着信は許可するが、それ以外のメッセンジャ、メールなどのアプリケーションからの着信は拒否する。
【００６７】
同様に、受信サイズに基づいて着信の可否を決定してもよい。例えば、ある一定サイズ以上の添付ファイルを有したメールや、メール単体などの着信は拒否する。また、コンピュータウィルス（移動端末を破壊するようなプログラム）を含んでいるか否かにより、着信の可否を決定してもよい。さらに、上記組合せにより着信の可否を決定してもよい。例えば、電話（VoIP）アプリケーションは着信を許可するが、動画を含む電話（VoIP）は受信サイズの制限により着信を拒否する。
【産業上の利用可能性】
【００６８】
本発明にかかる呼制御サーバ及び迷惑着信防止方法は、休止中の無線ＬＡＮインタフェースが迷惑メール又は迷惑着信によって起動することを回避し、移動端末の消費電力を抑制するといった効果を有し、例えば、無線ＬＡＮネットワークにおけるサーバに適用できる。
【図面の簡単な説明】
【００６９】
【図１】本発明の実施の形態１に係る呼制御サーバの構成を示すブロック図
【図２】図１に示すデータベースが管理するテーブルを示す図
【図３】図１に示す呼制御サーバの動作手順を示すフロー図
【図４】ネットワーク上の各装置間の処理手順を示すシーケンス図
【図５】ネットワーク上の各装置間の処理手順を示すシーケンス図
【図６】ネットワーク上の各装置間の処理手順を示すシーケンス図
【図７】ネットワーク上の各装置間の処理手順を示すシーケンス図
【図８】ユーザ設定情報の説明に供する図
【図９】図１に示す呼制御サーバの動作手順を示すフロー図
【図１０】一般的なネットワーク構成を示す概念図
【図１１】セルラ無線インタフェースを介して無線ＬＡＮインタフェースを起動する方法の説明に供する図
【符号の説明】
【００７０】
１０１  呼制御部
１０２  データベース
１０３  ＤＢ検索部
１０４  着信拒否判定部
１０５  ＷＬＡＮ  Ｉ／Ｆ判定部
１０６  セルラページング指示部
【図１】
2006074603.tif 000003
【図２】
2006074603.tif 000004
【図３】
2006074603.tif 000005
【図４】
2006074603.tif 000006
【図５】
2006074603.tif 000007
【図６】
2006074603.tif 000008
【図７】
2006074603.tif 000009
【図８】
2006074603.tif 000010
【図９】
2006074603.tif 000011
【図１０】
2006074603.tif 000012
【図１１】
2006074603.tif 000013